(57)【特許請求の範囲】
【請求項１】
映像の水平方向及び垂直方向のいずれか一方について複数の第１拡大率が予め定められ、いずれか他方について複数の第２拡大率が予め定められ、
観視者による操作の度に、前記複数の第１拡大率のいずれか１つを固定的に選択した状態で前記複数の第２拡大率を１つずつ選択した後、前記複数の第１拡大率の別の１つを固定的に選択した状態で前記複数の第２拡大率を１つずつ選択する選択部と、
前記選択部により第１拡大率及び第２拡大率が選択される度に、選択された第１拡大率及び第２拡大率で、入力映像を変倍する映像処理部と、
前記映像処理部により変倍された変倍映像を表示する画面とを備える、モード切替装置。
【請求項２】
前記選択部は、前記複数の第１拡大率のいずれか１つから別の１つに変更する際、同じ第２拡大率を選択する、請求項１に記載のモード切替装置。
【請求項３】
前記選択部は、前記複数の第１拡大率のいずれか１つを固定的に選択した状態で、前記複数の第２拡大率を１つずつ昇順で選択した後、前記複数の第１拡大率の別の１つを固定的に選択した状態で、前記複数の第２拡大率を１つずつ降順で選択する、請求項２に記載のモード切替装置。
【請求項４】
前記選択部は、前記複数の第１拡大率のいずれか１つを固定的に選択した状態で、前記複数の第２拡大率を１つずつ降順で選択した後、前記複数の第１拡大率の別の１つを固定的に選択した状態で、前記複数の第２拡大率を１つずつ昇順で選択する、請求項２に記載のモード切替装置。
【請求項５】
前記選択部は、前記複数の第１拡大率のいずれか１つから別の１つに変更する際、別の第２拡大率を選択する、請求項１に記載のモード切替装置。
【請求項６】
前記選択部は、前記複数の第１拡大率のいずれか１つを固定的に選択した状態で、前記複数の第２拡大率を１つずつ昇順で選択した後、前記複数の第１拡大率の別の１つを固定的に選択した状態で、前記複数の第２拡大率を１つずつ昇順で選択する、請求項５に記載のモード切替装置。
【請求項７】
前記選択部は、前記複数の第１拡大率のいずれか１つを固定的に選択した状態で、前記複数の第２拡大率を１つずつ降順で選択した後、前記複数の第１拡大率の別の１つを固定的に選択した状態で、前記複数の第２拡大率を１つずつ降順で選択する、請求項５に記載のモード切替装置。
【請求項８】
前記画面の表示アスペクト比は１６：９を超える、請求項１に記載のモード切替装置。
【請求項９】
前記表示アスペクト比は１０：３である、請求項８に記載のモード切替装置。
【発明の詳細な説明】
【技術分野】
【０００１】
本発明は、モード切替装置に関し、より特定的には、観視者による操作の度に、表示倍率を変更し、変更された表示倍率で入力映像を変倍して表示するモード切替装置に関する。
【背景技術】
【０００２】
従来のモード切替装置としては、以下に説明するリモートコントローラ（以下、リモコンという）及びテレビジョン受像機（以下、ＴＶ受像機という）がある。観視者は、ＴＶ受像機の表示倍率（表示アスペクト比）を切り替えたいとき、リモコンに備わるワイド切替操作部を操作する。この操作に応答して、リモコンは、ＴＶ受像機に表示倍率を変更するためのデータを送信する。ＴＶ受像機は、受信データを受信する毎に、表示倍率を順次切り替える（例えば、下記の特許文献１を参照）。
【特許文献１】特開平８−３４０４６２号公報
【発明の開示】
【発明が解決しようとする課題】
【０００３】
従来のＴＶ受像機では、ある表示倍率から別の表示倍率に変更されると、例えば、新たな表示映像は、前回のものと比べて水平方向に拡大される場合がある。その後さらに別の表示倍率に変更されると、新たな表示映像は前回のものと比べて垂直方向に拡大される場合がある。このように従来のＴＶ受像機では、表示倍率を切り替え中、水平方向への拡大と、垂直方向への拡大とが交互に実行され、この一連の動作が繰り返される場合がある。このような表示倍率の切り替えは、観視者は表示映像を目で追いかけづらいという問題を招く。
【０００４】
それ故に、本発明は、表示倍率を変更中、観視者の目が追いかけやすい表示映像を提供可能なモード切替装置を提供することを目的とする。
【課題を解決するための手段】
【０００５】
上記目的を達成するために、本発明の一局面は、モード切替装置に向けられている。モード切替装置においては、映像の水平方向及び垂直方向のいずれか一方について複数の第１拡大率が予め定められ、さらに、いずれか他方について複数の第２拡大率が予め定められている。モード切替装置は、観視者による操作の度に、複数の第１拡大率のいずれか１つを固定的に選択した状態で、複数の第２拡大率を１つずつ選択した後、複数の第１拡大率の別の１つを固定的に選択した状態で、複数の第２拡大率を１つずつ選択する選択部と、選択部により第１拡大率及び第２拡大率が選択される度に、選択された第１拡大率及び第２拡大率で、入力映像を変倍する映像処理部と、映像処理部により変倍された変倍映像を表示する表示部とを備える。
【発明の効果】
【０００６】
上記局面によれば、観視者による操作の度に、第１拡大率及び第２拡大率の組み（表示倍率）が１つずつ決定されていく。この第１拡大率及び第２拡大率にて、観視者による操作の度に入力映像が変倍され表示される。このような映像表示の間、第１拡大率が固定値に保たれている局面がある。この間には、変倍映像は水平方向及び垂直方向のいずれか一方にしか拡大されない。このような一連の変倍映像を表示することにより、観視者の目の動きを一方向に制限できるので、表示倍率を変更中、観視者の目が追いかけやすいモード切替装置を提供することが可能となる。
【発明を実施するための最良の形態】
【０００７】
図１は、本発明の一実施形態に係るモード切替装置１の構成を示すブロック図である。なお、図１には、モード切替装置１と協働するリモートコントローラ（以下、リモコンと称する）２も示されている。
【０００８】
まず、モード切替装置１の構成について説明する。モード切替装置１は、例えば車載用ディスプレイ装置であって、入力端子１１と、映像処理回路１２と、画面１３と、受信回路１４と、制御回路１５とを備える。以下、モード切替装置１の各構成の概略的な処理について説明する。
【０００９】
映像処理回路１２には、入力端子１１を介して映像Ａが入力される。映像処理回路１２は、後述の制御回路１５から与えられる表示倍率で、入力映像Ａを変倍して、変倍映像Ａ１を生成する。生成された変倍映像Ａ１は画面１３に出力される。なお、本実施形態において、変倍とは拡大及び縮小の意味だけでなく、等倍も変倍の意味として含まれる。
【００１０】
画面１３は、例えば、１６：９を超える表示アスペクト比を有する液晶パネルからなる。このような画面１３は、例えば、車両の後席の観視者が映像を観賞可能に車両の天井に設置される。このように天井に設置される場合、運転者の後方視界を確保しつつ、大きくワイドな映像を観視者が楽しめるように、表示アスペクト比は概ね１０：３であることがより好ましい。このような画面１３は、映像処理回路１２から出力された変倍映像Ａ１を表示して、観視者に提供する。
【００１１】
受信回路１４は、リモコン２の送信回路２３（後述）から送信されてくるコマンドＣを受信し、受信コマンドＣを制御回路１５に与える。コマンドＣは、画面モード切り替えのためのコマンドである。
【００１２】
制御回路１５は、ＣＰＵ（Ｃｅｎｔｒａｌ  Ｐｒｏｃｅｓｓｉｎｇ  Ｕｎｉｔ）１５１、不揮発性メモリ１５２及びカウンタ１５３を少なくとも含む。
【００１３】
ＣＰＵ１５１は、所定のイベントに応答して、入力映像Ａに対する水平方向及び垂直方向の拡大率を決定し、決定した両拡大率の組み合わせを表示倍率として映像処理回路１２に与える。
【００１４】
上記所定のイベントの典型例としては、電源投入と、リモコン２側からのコマンドＣ（後述）の到着がある。映像処理回路１２に与えられる表示倍率は、初めての電源投入時、デフォルトで設定されている水平方向の拡大率及び垂直方向の拡大率の組み合わせからなり、２回目以降の電源投入時、ラストモード、つまり電源が前回オフされる直前に用いられていた水平方向の拡大率及び垂直方向の拡大率の組み合わせからなる。これらデフォルト及びラストモードの表示倍率は、不揮発性メモリ１５２に格納される。
【００１５】
また、ＣＰＵ１５１は、受信回路１４からコマンドＣを受け取り、受け取ったコマンドＣが画面モード切り替えのためのものであることが分かると、入力映像Ａの垂直方向の拡大率と、その水平方向の拡大率とを決定する。決定の際、不揮発性メモリ１５２に予め格納されるテーブル１５４と、カウンタ１５３とが用いられる。以下、テーブル１５４について説明する。
【００１６】
図２は、テーブル１５４の内容を模式的に示す図である。図２のテーブル１５４において行方向には、入力映像Ａを水平方向に拡大する率（以下、水平拡大率と称する）αが複数個列記されている。本実施形態では、複数の水平拡大率αとして、４つの水平拡大率α１（＝１．００）、α２（＝１．３３）、α３（＝２．００）及びα４（＝２．５０）が例示される。また、テーブル１５４において列方向には、入力映像Ａを垂直方向に拡大する率（以下、垂直拡大率と称する）βが複数個列記されている。本実施形態では、複数の垂直拡大率βとして、２個の垂直拡大率β１（＝１．００）及びβ２（＝１．３３）が例示される。
【００１７】
本実施形態では、画面モードは、入力映像Ａの表示倍率で定義され、この表示倍率は、上述の通り、水平拡大率α及び垂直拡大率βの組み合わせで決まる。以下、水平拡大率αと垂直拡大率βとの組み合わせを、（α，β）で表現する。
【００１８】
また、本実施形態では、画面モードはトグルで切り替えされる。そのため、テーブル１５４には、トグル切り替えの順番も規定される。トグル切り替えの１番目は、表示倍率でいうと（α１，β１）で、以降、（α２，β１）→（α３，β１）→（α４，β１）→（α４，β２）→（α３，β２）→（α２，β２）と定められる。なお、（α２，β２）の次は（α１，β１）に戻る。
【００１９】
次に、再度図１を参照して、カウンタ１５３について説明する。カウンタ１５３は、トグル切り替えの順番を示すために、１から表示倍率の個数（本実施形態では７）までをカウントする。
【００２０】
制御回路１５において、ＣＰＵ１５１は、コマンドＣが受信回路１４から届くたびに、カウンタ１５３の現在値で示される順番の表示倍率を、不揮発性メモリ１５２に格納されたテーブル１５４から選択する。その後、ＣＰＵ１５１は、選択した表示倍率を映像処理回路１２に与える。
【００２１】
前述したとおり、図１には、リモコン２も示されている。リモコン２は、モード切替装置１の観視者により操作され、操作部２１と、制御回路２２と、送信回路２３とを備える。以下、リモコン２の各構成の概略的な処理について説明する。
【００２２】
操作部２１は、リモコン２のケーシングに、観視者が操作可能に配置されたキー又はボタンである。観視者による操作に応答して、操作部２１は、所定の信号を制御回路２２に出力する。
【００２３】
制御回路２２は、構成面では制御回路１５と同様である。制御回路２２は、操作部２１の出力端と接続されており、さらに、送信回路２３の入力端と接続される。
【００２４】
上記構成の制御回路２２は、操作部２１からの出力信号を受け取ると、モード切替装置１の画面モード（表示倍率）をトグル切り替えするためのコマンドＣを生成して、送信回路２３に出力する。
【００２５】
送信回路２３は、制御回路２２からのコマンドＣを、モード切替装置１の受信回路１４に向けて送信する。
【００２６】
次に、上記のような構成のモード切替装置１及びリモコン２の動作について説明する。以下にはまず、図３のフローチャートを参照して、リモコン２の動作について説明する。図３において、リモコン２の制御回路２２は、操作部２１の出力信号を受信すると（ステップＳ１０１）、上述のコマンドＣを生成して、送信回路２３に出力する（ステップＳ１０２）。
【００２７】
次に、送信回路２３は、制御回路２２から今回受け取ったコマンドＣを、モード切替装置１の受信回路１４に向けて送信する（ステップＳ１０３）。ステップＳ１０３の終了後、制御回路２２の処理はステップＳ１０１に戻る。
【００２８】
次に、図４のフローチャートを参照して、モード切替装置１の動作について説明する。図４において、モード切替装置１の電源が投入されると、入力端子１１を介して映像Ａが映像処理回路１２に入力され始めるとともに、ＣＰＵ１５１は、デフォルト又はラストモードの表示倍率を、初期表示倍率として不揮発性メモリから読み出して、映像処理回路１２に与える（ステップＳ２０１）。
【００２９】
映像処理回路１２は、入力映像Ａを、制御回路１２からの初期表示倍率に含まれる水平拡大率で水平方向に変倍し、さらに、同表示倍率に含まれる垂直拡大率で垂直方向に変倍する。これによって生成された変倍映像Ａ１は画面１３により表示される（ステップＳ２０２）。
【００３０】
次に、ＣＰＵ１５１は、受信回路１４からコマンドＣを受け取ったか否かを判断する（ステップＳ２０３）。Ｎｏの場合、現在設定されている表示倍率を変更する必要が無いため、ＣＰＵ１５１は、コマンドＣが届くことを待機するために、処理をステップＳ２０３に戻す。
【００３１】
一方、ステップＳ２０３でＹｅｓと判断した場合、ＣＰＵ１５１は、カウンタ１５３の現在値を取得し（ステップＳ２０４）、取得した現在値が示す順番の表示倍率をテーブル１５４から読み出して、映像処理回路１２に与える（ステップＳ２０５）。ＣＰＵ１５１はさらに、カウンタ１５３の値を１インクリメントする（ステップＳ２０６）。
【００３２】
映像処理回路１２は、入力映像Ａを、制御回路１２から今回受け取った表示倍率に含まれる水平拡大率で水平方向に変倍し、同表示倍率に含まれる垂直拡大率で垂直方向に変倍する（ステップＳ２０７）。このようにして生成された変倍映像Ａ１は画面１３により表示される（ステップＳ２０８）。ＣＰＵ１５１は、コマンドＣが届くことを待機するために、処理をステップＳ２０３に戻す。
【００３３】
上記のような動作を繰り返すと、リモコン２から最初に届いたコマンドＣに応答して、表示倍率は（α１，β１）に設定され、２回目のコマンドＣにより表示倍率は（α２，β１）に、３回目のコマンドＣにより表示倍率は（α３，β１）に設定される。以降、４回目、５回目、６回目及び７回目のコマンドＣにより表示倍率は（α４，β１）、（α４，β２）、（α３，β２）及び（α２，β２）にそれぞれ設定される。なお、８回目のコマンドＣにより、表示倍率は、順番が１番目の（α１，β１）に設定される。なお、図２では、表示倍率の順番は、丸で囲まれた数字により示される。
【００３４】
上記のように表示倍率が設定されると、画面１３には、図５及び図６に示すように、表示倍率（α１，β１）で変倍された変倍映像Ａ１がまず表示され、次に、表示倍率（α２，β１）で変倍された変倍映像Ａ１が表示される。以降、図５及び図６に示すように、（α３，β１）、（α４，β１）、（α４，β２）、（α３，β２）及び（α２，β２）の順で変倍された変倍映像Ａ１がそれぞれ画面１３に表示される。
【００３５】
ここで、もし、入力映像Ａがシネマスコープ（登録商標）の形式を有する場合、垂直方向に垂直拡大率β１（＝１．００倍）で変倍すると、変倍映像Ａ１の上下に黒帯部分が残る。それに対し、スネマスコープ形式の入力映像Ａを垂直拡大率β２（＝１．３３倍）で変倍すると、垂直方向に関しては、入力映像Ａのコンテンツ部分、つまり入力映像Ａの黒帯部分を除いた部分を画面１３いっぱいに表示することが可能となる。さらに詳しく述べると、この場合、黒帯部分はカットされることになる。
【００３６】
同様に、水平拡大率α４を２．５０倍にすることで、水平方向に関して、入力映像Ａのコンテンツ部分を画面１３いっぱいに表示することが可能となる。
【００３７】
このように、表示拡大率としての（α４，β２）を定義することで、画面１３の表示領域を最大限に利用することが可能となり、これによって、モード切替装置１は、運転者の後方視界を確保しつつ、大きくワイドな変倍映像Ａ１を観視者に提供することが可能となる。
【００３８】
以上説明したとおり、本モード切替装置１によれば、観視者が操作部２１を操作する度に、リモコン２からモード切替装置１には、画面モードを切り替えるためのコマンドＣが送信される。モード切替装置１において、ＣＰＵ１５１は、コマンドＣを受信するたびに、カウンタ１５３の現在値に従って、テーブル１５４から取り出すべき表示倍率を決定する。このようにして決定された表示倍率では、まず、垂直方向の拡大率βが固定値にされた状態で、水平方向の拡大率αは、コマンドＣがＣＰＵ１５１に到着するたびに、１段階大きな値に設定されていく。水平方向の拡大率αが最も大きな値（α４＝２．５）に到達すると、垂直方向の拡大率βが別の値（β２＝１．３３）に設定される。その後、新たに設定された拡大率βが固定値に設定された状態で、水平方向の拡大率αとしては、コマンドＣが到着するたびに、１段階小さな値が選択されていく。
【００３９】
以上のように表示倍率を遷移させることにより、図５及び図６に示す通り、画面１３に表示される変倍映像Ａ１は、表示倍率の変更前後を比較すると、垂直方向及び水平方向のいずれか一方にしか変倍されない。これによって、観視者の目の動きを一方向に制限できるので、表示倍率を変更中、観視者の目が追いかけやすいモード切替装置１を提供することができる。
【００４０】
なお、上述では、図２を参照して説明したように、観視者の目の動きを最低限にするために、表示倍率は、（α４，β１）から（α４，β２）へと遷移させていた。つまり、垂直拡大率βをβ１からβ２に遷移させる際、水平拡大率αは同じ値のα２が選択されていた。また、垂直拡大率β１が固定的に選択されている間、水平拡大率αは、α１→α２→α３→α４というように昇順で選ばれ、垂直拡大率βがβ２に変更された後、α４→α３→α２というように降順に選ばれていた。
【００４１】
上記は最良の形態であって、他にも、図７に示すようなテーブル１５４を不揮発性メモリ１５２に格納されても構わない。図７の例によれば、垂直拡大率βがβ１に固定されている間、水平拡大率αは、α４→α３→α２→α１という降順で選ばれ、垂直拡大率βがβ２に固定されている間、水平拡大率αは、α２→α３→α４という昇順で選ばれる。この場合、垂直拡大率βがβ１から異なる値のβ２へと遷移するとともに、水平拡大率αもα１から異なる値のα２に遷移する。このように、表示倍率が（α１，β１）から（α２，β２）へと切り替わり、その場合に限り、変倍映像Ａ１は、表示倍率の変更前後を比較すると、垂直方向及び水平方向の両方向に変倍されてしまうが、それ以外では、観視者の目の動きを一方向に制限できるので、表示倍率を変更中、観視者の目が追いかけやすいモード切替装置１を提供することが可能となる。
【００４２】
また、他にも、図８に示すようなテーブル１５４が不揮発性メモリ１５２に格納されても構わない。図８の例では、垂直拡大率βをβ１からβ２に遷移させる際、水平拡大率αは、異なる値に、例えばα４からα２に遷移する。この場合、（α１，β１）→（α２，β１）→（α３，β１）→（α４，β１）→（α２，β２）→（α３，β２）→（α４，β２）の順で変倍された変倍映像Ａ１がそれぞれ画面１３に表示される。この場合、垂直拡大率β１が固定的に選択されている間、水平拡大率αは、α１→α２→α３→α４というように昇順で選ばれ、垂直拡大率βがβ２に変更された後、α２→α３→α４というように昇順で選ばれる。この場合も、図７の例と同様に、表示倍率が（α４，β１）から（α２，β２）へと遷移する際に限り、変倍映像Ａ１は、表示倍率の変更前後を比較すると、垂直方向及び水平方向の両方向に変倍されてしまうが、それ以外では、観視者の目の動きを一方向に制限できるので、表示倍率を変更中、観視者の目が追いかけやすいモード切替装置１を提供することが可能となる。
【００４３】
また、他にも、図９に示すようなテーブル１５４が不揮発性メモリ１５２に格納されても構わない。図９の例では、（α４，β１）→（α３，β１）→（α２，β１）→（α１，β１）→（α４，β２）→（α３，β２）→（α２，β２）の順で変倍された変倍映像Ａ１がそれぞれ画面１３に表示される。この場合、垂直拡大率β１が固定的に選択されている間、水平拡大率αは、α４→α３→α２→α１というように降順で選ばれ、垂直拡大率βがβ２に変更された後、α４→α３→α２というように降順で選ばれる。この場合も、表示倍率が（α１，β１）から（α４，β２）へと遷移する際に限り、変倍映像Ａ１は、表示倍率の変更前後を比較すると、垂直方向及び水平方向の両方向に変倍されてしまうが、それ以外では、観視者の目の動きを一方向に制限できるので、表示倍率を変更中、観視者の目が追いかけやすいモード切替装置１を提供することが可能となる。
【産業上の利用可能性】
【００４４】
本発明に係るモード切替装置は、表示倍率を変更中、観視者の目が追いかけやすい表示映像が求められる車載用ディスプレイ装置等に好適である。
【図面の簡単な説明】
【００４５】
【図１】本発明の一実施形態に係るモード切替装置１の構成を示すブロック図
【図２】テーブル１５４の内容を模式的に示す図
【図３】リモコン２の動作を示すフローチャート
【図４】モード切替装置１の動作を示すフローチャート
【図５】変倍映像Ａ１の遷移の前半部分を示す模式図
【図６】変倍映像Ａ１の遷移の後半部分を示す模式図
【図７】テーブル１５４の内容について第１の代替例を模式的に示す図
【図８】テーブル１５４の内容について第２の代替例を模式的に示す図
【図９】テーブル１５４の内容について第３の代替例を模式的に示す図
【符号の説明】
【００４６】
１  モード切替装置
１１  入力端子
１２  映像処理回路
１３  画面
１４  受信回路
１５  制御回路（モード切替装置側）
１５１  ＣＰＵ
１５２  不揮発性メモリ
１５３  カウンタ
１５４  テーブル
２  リモートコントローラ（リモコン）
２１  操作部
２２  制御回路（リモコン側）
２３  送信回路
【図１】
0005474283.tif 000002
【図２】
0005474283.tif 000003
【図３】
0005474283.tif 000004
【図４】
0005474283.tif 000005
【図５】
0005474283.tif 000006
【図６】
0005474283.tif 000007
【図７】
0005474283.tif 000008
【図８】
0005474283.tif 000009
【図９】
0005474283.tif 000010